(57)【特許請求の範囲】
【請求項１】
座部の下面に、取扱説明書等の被収容物を収容する収容部を設けた椅子において、
収容部を、被収容物の厚さより僅かに深く、横幅が被収容物の横幅より僅かに大きく、かつ縦幅が被収容物の縦幅より小さい上向き凹状のものとし、前記座部の下面に、前記収容部と連通する取付用凹部を形成し、この取付用凹部に、支柱の上端部に固定された、取付用凹部より小寸の支基を、取付用凹部における収容部側の端部に指入れ用の隙間を形成するようにして嵌合固着するとともに、前記収容部における少なくとも左右に対向する縁部より、被収容物の下面に接して落下を防止する係止片を突設し、かつ前記取付用凹部における収容部側の端面に、収容部の上端面と連続するとともに、前記隙間内に突出する水平片と、該水平片の端部から下向きに延出する垂下片とからなり、横幅が前記隙間の横幅よりも小さいストッパを突設してなり、前記垂下片と収容部におけるストッパと反対側の端面との間隔を、被収容物の縦幅よりも僅かに大としたことを特徴とする収容部付き椅子。
【請求項２】
ストッパの垂下片の下縁部に、前記収容部側に向かって延出するとともに、被収容物の下面に接して落下を防止する受片を設けたことを特徴とする請求項１記載の収容部付き椅子。
【請求項３】
座部の下面に、取扱説明書等の被収容物を収容する収容部を設けた椅子において、
収容部を、被収容物の厚さより僅かに深く、横幅が被収容物の横幅より僅かに大きく、かつ縦幅が被収容物の縦幅より小さい上向き凹状のものとし、前記座部の下面に、前記収容部と連通する取付用凹部を形成し、この取付用凹部に、支柱の上端部に固定された、取付用凹部より小寸の支基を、取付用凹部における収容部側の側部に指入れ用の隙間を形成するようにして嵌合固着するとともに、前記収容部における少なくとも左右に対向する縁部より、被収容物の下面に接して落下を防止する係止片を突設し、前記支基の収容部側の端面と収容部における支基と反対側の端面との間隔を、被収容物の縦幅よりも僅かに大としたことを特徴とする収容部付き椅子。
【発明の詳細な説明】
【０００１】
【発明の属する技術分野】
本発明は、椅子の座席に、椅子の取扱説明書等を収容しうる収容部を形成した収容部付き椅子に関する。
【０００２】
【従来の技術】
椅子の座部の裏面に収容部を形成し、この収容部に、椅子の機能や操作方法等を説明する取扱説明書を収容するようにした椅子の代表的なものとしては、例えば特開平７−２５５５６６号公報に記載されているものがある。
【０００３】
特開平７−２５５５６６号公報に記載された椅子は、収容部を、折り畳まれた取扱説明書より僅かに大きく、かつ取扱説明書の厚さより僅かに深い凹部とするとともに、収容部の少なくとも１対の縁部より、取扱説明書の下面に接して落下を防止する係止片を突設し、かつ収容部の適宜の縁部に、取扱説明書の端縁に指を掛ける収容部の底面より深い指挿し部を形成したものである。
【０００４】
収容部に収容された取扱説明書は、両側部が、互いに対向する係止片に係止されることにより、収容部からの落下が防止され、また指挿し部に指を挿入して、取扱説明書の端部を摘むことにより、取扱説明書を収容部の係止片のない縁部から容易に取り出すことができる。
【０００５】
【発明が解決しようとする課題】
この椅子では、取扱説明書を収容部から取り出す際に、指を、指とほぼ同幅の指挿し部に入れる必要があるので、取扱説明書の収容部からの取出しは必ずしも容易でなく、特に使用者が座部に座ったままの状態で取扱説明書を取り出す場合には、座部の下面を目で確認することができず、手探りで指を指挿し部に入れなければならないので、取扱説明書の取出しは難しくなる。
【０００６】
本発明は、上述のような問題点を解決するためになされたもので、取扱説明書等の被収容物を収容部から取り出し易く、かつ被収容物が収容部から脱落することのないようにした、収容部付き椅子を提供することを目的としている。
【０００７】
【課題を解決するための手段】
本発明によると、上記課題は、次のようにして解決される。
(１)  座部の下面に、取扱説明書等の被収容物を収容する収容部を設けた椅子において、収容部を、被収容物の厚さより僅かに深く、横幅が被収容物の横幅より僅かに大きく、かつ縦幅が被収容物の縦幅より小さい上向き凹状のものとし、前記座部の下面に、前記収容部と連通する取付用凹部を形成し、この取付用凹部に、支柱の上端部に固定された、取付用凹部より小寸の支基を、取付用凹部における収容部側の端部に指入れ用の隙間を形成するようにして嵌合固着するとともに、前記収容部における少なくとも左右に対向する縁部より、被収容物の下面に接して落下を防止する係止片を突設し、かつ前記取付用凹部における収容部側の端面に、収容部の上端面と連続するとともに、前記隙間内に突出する水平片と、該水平片の端部から下向きに延出する垂下片とからなり、横幅が前記隙間の横幅よりも小さいストッパを突設してなり、前記垂下片と収容部におけるストッパと反対側の端面との間隔を、被収容物の縦幅よりも僅かに大とする。
【０００８】
(２)上記(１)項において、ストッパの垂下片の下縁部に、前記収容部側に向かって延出するとともに、被収容物の下面に接して落下を防止する受片を設ける。
【０００９】
(３)座部の下面に、取扱説明書等の被収容物を収容する収容部を設けた椅子において、収容部を、被収容物の厚さより僅かに深く、横幅が被収容物の横幅より僅かに大きく、かつ縦幅が被収容物の縦幅より小さい上向き凹状のものとし、前記座部の下面に、前記収容部と連通する取付用凹部を形成し、この取付用凹部に、支柱の上端部に固定された、取付用凹部より小寸の支基を、取付用凹部における収容部側の側部に指入れ用の隙間を形成するようにして嵌合固着するとともに、前記収容部における少なくとも左右に対向する縁部より、被収容物の下面に接して落下を防止する係止片を突設し、前記支基の収容部側の端面と収容部における支基と反対側の端面との間隔を、被収容物の縦幅よりも僅かに大とする。
【００１０】
【発明の実施の形態】
以下、本発明の第１の実施形態を、図１〜図４を参照しながら説明する。
この椅子(１)の脚杆(２)の上端には、方形枠状の支基(３)が垂直軸まわりに回転自在に装着されている。支基(３)は、合成樹脂製の座シェル(４)の下面に形成された、支基(３)よりも大寸の上向きの取付用凹部(５)内に嵌合固着されている。取付用凹部(５)の前端部には、使用者の手が余裕をもって入り得る程度の隙間(６)が形成されている。
座シェル(４)の上面にはクッション材(７)が張設され、クッション材(７)と座シェル(４)とにより、椅子(１)の座部(８)が形成されている。
【００１１】
(９)は、支基(３)の後端から後方に延出し、かつ上方に湾曲する背杆であり、背杆(９)の上端部には背当て(10)が装着されている。
【００１２】
座シェル(４)の下面における取付用凹部(５)の直前には、取扱説明書等の被収容物(11)を収容するための上向きの収容部(12)が設けられている。
収容部(12)の後端面は開口しており、収容部(12)と取付用凹部(５)とは互いに連通している。
収容部(12)の前端面および左右の側面は閉じられている。
【００１３】
収容部(12)は、被収容物(11)の厚さより僅かに深い方形の上向凹状をなし、その横幅は被収容物(11)の横幅より僅かに大きく、かつ縦幅は被収容物(11)の縦幅より小さくしてある。
収容部(12)の前縁部及び左右の縁部には、被収容物(11)の下面に接して落下を防止する係止片(13)が、それぞれ内向きに突設されている。
【００１４】
取付用凹部(５)における収容部(12)側の端面には、収容部(12)の上端面(14)と連続するとともに、隙間(６)内に突出する水平片(15)と、水平片(15)の端部から下向きに延出する垂下片(16)とからなり、かつ左右方向の幅が隙間(６)のそれよりも小さいストッパ(17)が突設されており、垂下片(16)と収容部(12)におけるストッパ(17)と反対側の端面との間隔は、折り畳まれた被収容物(11)の縦幅より僅かに大となっている。
【００１５】
このような本実施形態によると、被収容物(11)をストッパ(17)と左右の係止片(13)の間から収容部(12)内に差し込めば、被収容物(11)を収容部(12)内に簡単に挿入することができる。
収容された被収容物(11)は、３辺が収容部(12)の内側面に囲まれ、底面が３個の係止片(13)により支持されるとともに、後縁部が垂下片(16)に当接するので、前後左右への移動が拘束されるとともに、下方への脱落が防止され、妄りに収容部(12)から外れることがない。
【００１６】
また、取付用凹部(５)の隙間(６)内に手を入れて、隙間(６)内に突出している被収容物(11)の角部を手で掴んで、後ろ斜め下方に引っ張れば、被収容物(11)を、簡単に収容部(12)から取出すことができる。
【００１７】
さらに、収容部(12)に収容された被収容物(11)は、係止片(13)と係合している部分以外は外部に露呈しているので、被収容物(11)が収容されていることを、椅子(１)の前方または前下方から容易に視認することができ、被収容物(11)を探す必要はない。
【００１８】
次に、本発明の第２の実施形態について、図５を参照しながら説明する。
なお、本実施形態以降において、先行する実施形態のものと同一の部材には、同一の符号を付して詳細な説明を省略する。
【００１９】
本実施形態においては、垂下片(16)の下縁部に、前方に向かって延出する受片(18)を設けてある。
このような本実施形態によれば、被収容物(11)の下面の後縁部が受片(18)により支持されるので、被収容物(11)が収容部(12)から脱落するおそれは殆どなくなる。
【００２０】
最後に、本発明の第３の実施形態について、図６を参照しながら説明する。
本実施形態においては、ストッパ(17)を省略する代わりに、支基(３)の前端面をより前方に位置させて、支基(３)の前端面と収容部(12)における取付用凹部(５)と反対側の端面との間隔を、被収容物(11)の縦幅より僅かに大とし、被収容物(11)の後端を支基(３)の前端面に当接させて、被収容物(11)の前後方向への移動を拘束している。
【００２１】
このような本実施形態によれば、従前の実施形態と同様な効果を奏するとともに、ストッパ(17)を省略することができるので、製造コストの低減を図ることができる。
【００２２】
また、ストッパ(17)が無いので、隙間(６)側に突出している被収容物(11)の端部が掴み易く、従前の実施形態に比べて、被収容物(11)の収容部(12)からの取出しが容易である。
【００２３】
【発明の効果】
本発明によれば、次のような効果を奏することができる。
(ａ)  請求項１記載の発明によれば、被収容物をストッパと係止片の間から収容部内に差し込めば、被収容物を収容部内に簡単に挿入し収容することができる。  収容された被収容物は、３辺が収容部の内側面に囲まれ、底面が係止片により支持されるとともに、取付用凹部側の縁部が垂下片に当接するので、前後左右への移動が拘束されるとともに、下方への脱落が防止され、妄りに収容部から外れることがない。
【００２４】
また、隙間内に突出している被収容物の角部を手で掴んで、後ろ斜め下方に引っ張れば、簡単に収容部から被収容物を取出すことができる。
【００２５】
さらに、収容部に収容された被収容物は、係止片と係合している部分以外は外部に露呈しているので、椅子の前方又は前下方等から被収容物が収容されていることを容易に視認することができ、取扱説明書等を捜す必要がない。
る。
【００２６】
(ｂ)  請求項２記載の発明によれば、被収容物の下面の取付用凹部側の縁部が受片により支持されるので、被収容物が収容部から脱落するおそれがほとんどなくなる。
【００２７】
(ｃ)  請求項３記載の発明によれば、請求項１の発明と同様の効果を奏するとともに、ストッパを省略することができるので、製造コストの低減を図ることができる。
また、ストッパが無いので、被収容物を収容部から取り出す際に、被収容物の端部を掴み易くなっており、被収容物の収容部からの取出しがさらに容易である。
【図面の簡単な説明】
【図１】本発明の一実施形態の斜め下方から見た斜視図である。
【図２】同じく図１のＡ部の拡大斜視図である。
【図３】同じく収容部に被収容物を収容した状態における座部の要部の拡大縦断側面図である。
【図４】同じく収容部に被収容物を収容した状態における座部の要部の拡大底面図である。
【図５】同じく本発明の第２の実施形態の図３と同様の拡大縦断側面図である。
【図６】同じく本発明の第３の実施形態の図３と同様の拡大縦断側面図である。
【符号の説明】
(１)椅子
(２)脚杆
(３)支基
(４)座シェル
(５)取付用凹部
(６)隙間
(７)クッション材
(８)座部
(９)背杆
(10)背当て
(11)被収容物
(12)収容部
(13)係止片
(14)上端面
(15)水平片
(16)垂下片
(17)ストッパ
(18)受片
【図１】
0003990026.tif 000002
【図２】
0003990026.tif 000003
【図３】
0003990026.tif 000004
【図４】
0003990026.tif 000005
【図５】
0003990026.tif 000006
【図６】
0003990026.tif 000007